(57)【特許請求の範囲】
【請求項１】
前部にカードキー差込口形成用の切欠きを設けたケーシングと、
このケーシングの切欠きに対向する裏面に略コ字型のカードキー収納部を形成すると共に、該収納部の一側に先端に長孔を穿設した錠係止板用のスライド溝を形成し、表面には作動板の収納凹部を形成してなるベースプレートと、
上記ケーシング内においてベースプレート上面へ重合され、前方上面にシリンダー錠が取付けられると共に、そのラッチ下面に突設された係合ピン用の弧状のガイド孔が穿設されている錠取付プレートと、
上記シリンダー錠の施錠操作にて後方へ回動自在にバネにて前方へ回動付勢されつつ支持され、上記シリンダー錠の係合ピン及び上記ベースプレートのスライド溝先端の長孔との対向部位に開口部が形成されている作動板と、
先端上方に上記シリンダー錠の係合ピンを係止するピンストッパが突設され、後端にカードキー用の係止片が上記カードキー収納部側へ折設され、上記ピンストッパが上記ベースプレートの長孔前端から作動板の開口部上方に突出するようにバネにてスライド溝内を前方へ付勢されつつ嵌挿されている錠係止板と、
上記カードキー収納部後方の嵌合凹部に脱着自在に嵌合される脚と平面略半球状の係合体とからなるガイドピースとを具備したもので、後端縁に上記ガイドピースの係合体に係合可能な凹部を有する専用カードキーを上記カードキー差込口から差込んで当該カードキーの後端縁にて錠係止板後端の係止片を押圧しつつ係合凹部をガイドピースの係合体に係合することにより先端のピンストッパを後退させ、シリンダー錠の係合ピンを回動可能に構成する一方、
クレジットカード、定期券カード等のような後端に凹部のついていないカードキーを使用するときは、上記ガイドピースをベースプレート後部のフレームに設けられた嵌合凹部から外しておき、このカードキーをカードキー差込口から差込んで当該カードキーの後端縁にて錠係止板の係止片を押圧することにより先端のピンストッパを後退させ、シリンダー錠の係合ピンを回動可能に構成したことを特徴とするカードキー式錠前装置。
【発明の詳細な説明】
【０００１】
【発明の属する技術分野】
本発明は、カード式錠前装置に関する。
【０００２】
【従来の技術】
従来のカード式錠前装置は、例えばバネ力によって押し上げ付勢される長、短２種類のロックピンをピン孔に内装させた錠前と、前記各ロックピンと対応するよう組み合せ穿設された多数のパンチ孔を備えたカードキーとからなるものが知られている。
【０００３】
【発明が解決しようとする課題】
ところで、上記した従来のカードキー式錠前装置は、所定位置にピン孔が穿設してあるカードキーしか使用できないため、当該カードキーを破損したり紛失した場合、施解錠できなくなるという問題及び錠前の構造が複雑なため、故障を生じ易く、コストがアップするという問題があった。
【０００４】
【目的】
本発明は、上記従来技術の有するこのような問題点に鑑みなされたもので、専用のカードのみならず、クレジットカードや定期券カード等の一般のカード類を使用することができると共に、簡易構造で、故障が少なく、低コストの錠前を装着したカードキー式錠前装置を提供することを目的とする。
【０００５】
【課題を解決するための手段】
上記目的を達成するために本発明に係るカードキー式錠前装置は、前部にカードキー差込口形成用の切欠きを設けたケーシングと、このケーシングの切欠きに対向する裏面に略コ字型のカードキー収納部を形成すると共に、該収納部の一側に先端に長孔を穿設した錠係止板用のスライド溝を形成し、表面には作動板の収納凹部を形成してなるベースプレートと、上記ケーシング内においてベースプレート上面へ重合され、前方上面にシリンダー錠が取付けられると共に、そのラッチ下面に突設された係合ピン用の弧状のガイド孔が穿設されている錠取付プレートと、上記シリンダー錠の施錠操作にて後方へ回動自在にバネにて前方へ回動付勢されつつ支持され、上記シリンダー錠の係合ピン及び上記ベースプレートのスライド溝先端の長孔との対向部位に開口部が形成されている作動板と、先端上方に上記シリンダー錠の係合ピンを係止するピンストッパが突設され、後端にカードキー用の係止片が上記カードキー収納部側へ折設され、上記ピンストッパが上記ベースプレートの長孔前端から作動板の開口部上方に突出するようにバネにてスライド溝内を前方へ付勢されつつ嵌挿されている錠係止板と、上記カードキー収納部後方の嵌合凹部に脱着自在に嵌合される脚と平面略半球状の係合体とからなるガイドピースとを具備したもので、後端縁に上記ガイドピースの係合体に係合可能な凹部を有する専用カードキーを上記カードキー差込口から差込んで当該カードキーの後端縁にて錠係止板後端の係止片を押圧しつつ係合凹部をガイドピースの係合体に係合することにより先端のピンストッパを後退させ、シリンダー錠の係合ピンを回動可能に構成する一方、クレジットカード、定期券カード等のような後端に凹部のついていないカードキーを使用するときは、上記ガイドピースをベースプレート後部のフレームに設けられた嵌合凹部から外しておき、このカードキーをカードキー差込口から差込んで当該カードキーの後端縁にて錠係止板の係止片を押圧することにより先端のピンストッパを後退させ、シリンダー錠の係合ピンを回動可能に構成したことを特徴とする。
【０００６】
【発明の実施の形態】
以下、本発明に係るカードキー式錠前装置の一実施形態について図面を参照して説明する。
図１は本発明に係るカードキー式錠前装置の実施形態の断面図を示し、図２は専用カードキーの一部と作動板付のベースプレートの平面図を示し、図３はベースプレートの背面図を示し、図４はケーシング内にベースプレートを嵌合した状態の一部断面の背面図を示し、図５はケーシング内にベースプレート及び錠取付プレートを嵌合した状態の平面図を示し、図６は同上の正面図を示し、図７は使用例の一部断面した側面図を示し、図８はガイドピースの取付状態を説明する斜視図を示し、図９及び図１０は専用カードキーの動作説明図を各示し、図１１及び図１２は通常カードキーの動作説明図を各示す。
【０００７】
本発明のカードキー式錠前装置は、ケーシング１と、ベースプレート２と、錠取付プレート３と、作動板４と、錠係止板５及びガイドピース１５とを主要構成部材としている。
【０００８】
上記ケーシング１は図１、図４、図５、図６及び図７に示したように、硬質プラスチックを素材として、前面板１ａ、後面板１ｂ、左右の側面板１ｃ、１ｃ及び底面板１ｄにより上面に開口部１ｅを設けた正方形状に形成してある。そして、前面板１ａには、後述するシリンダー錠のラッチ及びカードキーが出入りできるように半欠の切欠き１ｆと後述するカードキーの差込口を形成するための完欠の切欠き１ｇとを連設してある。底面板１ｄには、その周縁にベースプレート２、錠取付プレート３及び扉板６の取付用ねじ孔部１ｈ…を突設すると共に、上記切欠き1ｇ後方にカードキーの差込みとその保持のため前端を薄く後端に向って漸次厚くなるようにテーパ１ｉに形成してある。
【０００９】
上記ベースプレート２は図１、図２、図３及び図４に示したように、硬質プラスチック材を素材として、その下面前部において上記ケーシング１前面板１ａの切欠き１ｇ及び底面板１ｄのテーパ１ｉと対応するようにテーパ２ａを形成したカードキー係止板２ｂを突設し、その後方及び左右両側に略コ字形状のフレーム２ｃ、２ｄ、２ｅを突設することによりカードキー収納部２ｆを、上記フレーム２ｄに沿って錠係止板５のスライド溝２ｇが各形成してある。このスライド溝２ｇは、前方底壁が抜けて長孔２ｈとなっており、その後方両側にはスプリング７の収納凹部２ｌが形成してある。上記したフレーム２ｃと２ｄとの対向側は各々切欠かれており、スライド溝２ｇと連通するように錠係止板５後端の可動凹所２ｊが形成してある。また、上記フレーム２ｃの略中央部上端には、後述するガイドピース用の、内方より外方へ拡がったテーパ状の嵌合凹部２ｋが形成してある。
【００１０】
一方、上記ベースプレート２は、その上面前方に作動板４の収納凹部２ｌが形成してある。この収納凹部２ｌ上方の前後方向に上記した長孔２ｈが位置しており、該長孔２ｈに隣接して平面Ｌ字型のガイド突起２ｍが突設してある。また、この収納凹部２ｌの上部後方にバネ掛け２ｎが突設してあり、且つ前方の略中央に作動板４のカードキーストッパ出入用の孔２ｏが穿設してある。
図中２ｐはベースプレート２の収納凹部２ｌの後方に開設された窓穴、２ｑはこの窓穴２ｐの上面周縁に形成された透明な遮蔽板８の嵌合凹部、２ｒ…はベースプレート２の周縁に上記したケーシング１の取付用ねじ孔部１ｈ…と対応して穿設されたねじ孔を各々示す。
【００１１】
上記錠取付プレート３は図１及び図５に示したように、金属板よりなり、前方上面の略中央部に、下面に係合ピン９を突設したラッチ１０を有するシリンダー錠１１を垂直に植設してある。また、上記錠取付プレート３の前方には、シリンダー錠１１のキー操作によってラッチ１０が９０度回動するように係合ピン９挿通用の弧状のガイド孔３ａが、後方には上記ベースプレート２の窓穴２ｐと対応する位置に窓穴３ｂが各開設してある。
図中３ｃ…はベースプレート２のねじ孔２ｒ…と対応して穿設されたねじ孔を示す。
【００１２】
上記作動板４は図１及び図２に示したように、金属板よりなり、上方及びその下部前方寄りに大小の開口部４ａ、４ｂを各穿設させてあり、大きい開口部４ａの上方には、シリンダー錠１１におけるラッチ１０の係合ピン９が係合する係合凹部４ｃを備えたガイド片４ｄを横方向へ連設してあり、一方、小さい開口部４ｂには、その前端縁を下側へ直角に折曲することでベースプレート２の孔２ｏに出入りするカードストッパ４ｅを突設してある。また、作動板４の上部後端には、ベースプレート２のバネ掛け２ｎに対向するようにバネ掛け４ｆを上方に直角に折曲することで突設してある。この作動板４のバネ掛け４ｆとベースプレート２のバネ掛け２ｎ間にバネ１２を掛け止めすることにより、作動板４は、ベースプレート２上面の収納凹部２ｌにおいて上記シリンダー錠１１の施錠操作により後方へ回動自在に上記バネ１２にて前方へ回動付勢されつつ保持させてある。
【００１３】
上記錠係止板５は図２、図３及び図４に示したように、金属板よりなり、先端上方に、シリンダー錠１１におけるラッチ１０の係合ピン９を係止するピンストッパ５ａが、後端にカードキー用の係止片５ｂが上記カードキー収納部２ｆ側へ略直角に折曲することにより各形成してある。また、この錠係止板５の略中央部には、長手方向へスプリング７挿入用の長孔５ｃを穿設してある。
【００１４】
図中１３はケーシング１の切欠き１ｇとベースプレート２のカードキー係止板２ｂ間に形成されたカードキーの差入口、１４はシリンダー錠１１のラッチ１０が嵌入する凹部１４ａを内面に設けたケース体、１５は上記ベースプレート２後方のフレーム２ｃの嵌合凹部２ｋに脱着自在に嵌合するガイドピースを各示す。このガイドピース１５は、上記嵌合凹部２ｋに対する嵌合用のテーパ脚１５ａとカードキー用の半球体状の係合体１５ｂとより構成されている。このテーパ脚１５ａをベースプレート２のフレーム２ｃの嵌合凹部２ｋに嵌合することによりガイドピース１５の前方への抜けが阻止される。
１６はそのカードキーであり、後端中央に上記ガイドピース１５の係合体１５ｂが適合する係合凹部１６ａを有する専用カードキー１６′と、当該係合凹部１６ａを有しない一般カードキー１６″（クレジットカード、定期券カード等）との２種類のカードキーを使用する。
【００１５】
本錠前装置の無施錠時には、作動板４はベースプレート２の収納凹部２ｌ内においてスプリング１２により回動付勢されて先端側が所要角度立ち上がっているため、図１に示したように、開口部４ｂのカードキーストッパ４ｅはベースプレート２の孔２ｏの上面側に位置していてカードキー差込口１３から退去している。また、このとき、図２及び図３に示したように、シリンダー錠１１のラッチ１０の係合ピン９は作動板４の開口部４ａに設けられたガイド片４ｄの係合凹部４ｃに弾圧状態で係合されている。さらに、このとき、図２の１点鎖線、図３と図４の２点鎖線及び図９に示したように、錠係止板５はスプリング７により付勢されてスライド溝２ｇの前端側へ移行し、先端のピンストッパ５ａがベースプレート２の長孔２ｈの先端から上方へ貫通突出していてシリンダー錠１１の上記係合ピン９を係止しているため、キー操作によるシリンダー錠１１のラッチ１０の回動を阻止している。つまり、カードキー１６を挿着していないときは施錠操作は行われないようになっている。
【００１６】
このような状態において、カードキー１６をカードキー差込口１３から差し込んでケーシング１の底部１ｄ上のベースプレート２の凹部２ｆ内へ収納するが、このとき、図２の２点鎖線、図３と図４の実線に示したようにカードキー１６の後端縁が錠係止板５後端の係止片５ｂに当接して当該錠係止板５をベースプレート２のスライド溝２ｇ内をスプリング７のバネ力に抗して後退させるため、先端のピンストッパ５ａも長孔２ｈ内を後退し、シリンダー錠１１の係合ピン９に対する係止を解除する。そこで、シリンダー錠１１の錠孔に差し込んだキー（図示しない）を回動させると、図４、図５及び図７に示したように、ラッチ１０の係合ピン９が錠取付プレート３のガイド孔３ａに沿って移動するのに伴い、作動板４のガイド片４ｄの凹部４ｃを摺動して当該作動板４を押圧回動させつつラッチ１０を約９０度回動してケーシング１から突出しケース体１４の凹部１４ａ内へ嵌入する。これによって扉板６はケース体１４へ閉成状態に施錠ロックされる。なお、上記カードキー１６がケーシング１上のベースプレート２の凹部２ｆ内に収納されると、当該カードキー１６先端がカードキー係止板２ｂに当接係止されるため、スプリング７のバネ力による押し出しは阻止される。
【００１７】
ところで、カードキー１６として専用カードキー１６′を使用するときは、図２、図３、図４及び図９に示し、且つ上記に説明したように、ベースプレート２後部のフレーム２ｃの嵌合凹部２ｋへガイドピース１５を嵌合しておく。これにより、専用カードキー１６′がケーシング１の底板１ｄ上においてベースプレート２の凹部２ｆ内へ収納されたとき、図１０に示したように当該カードキー１６′後端縁に設けられた凹部１６ａが上記ガイドピース１５の半球状の係合体１５ｂ内へ係合するため、錠係止板５はシリンダー錠１１が施錠可能な状態まで後退する。
【００１８】
カードキー１６として一般のカードキー（クレジットカード、定期券カード等）１６″を使用するときは、図１１に示したように、ベースプレート２後部のフレーム２ｃの嵌合凹部２ｋに嵌合したガイドピース１５を外しておく。これにより、カードキー１６″がケーシング１の底板１ｄ上においてベースプレート２の凹部２ｆ内へ収納されたとき、図１２に示したように、当該カードキー１６″後端縁がフレーム２ｃ内側へ当接するため、前記と同じように錠係止板５はシリンダー錠１１が施錠可能な状態まで後退する。
【００１９】
而して、シリンダー錠１１が施錠ロックした状態のとき、ラッチ１０の係合ピン９は作動板４を下側へ押圧保持していてそのカードキーストッパ４ｅがベースプレート２の孔２ｏを挿通してカードキー差込口１３内へ突出しているため、内部のカードキー１６の取り出し及び新たなカードキー１６の差し込みはいずれも阻止される。
【００２０】
【発明の効果】
本発明は、以上詳述したように構成されているので、クレジットカードや定期券カード等の一般のカードキー、専用のカードキーいずれをも簡単に使い分けることができると共に、一般のカードキーはもとより、専用カードキーでも後端縁を切り欠くだけでよいから、カードキー、錠前装置ともに簡易構成で、故障が少なく、且つ低コストにて製造できる利点がある。
【図面の簡単な説明】
【図１】本発明に係るカード式錠前装置の実施形態を示す断面図である。
【図２】専用カードキーの一部と作動板付のベースプレートを示す平面図である。
【図３】同上ベースプレートを示す背面図である。
【図４】同上ケーシング内にベースプレートを嵌合した状態を示す一部断面の背面図を示す。
【図５】同上ケーシング内にベースプレート及び錠取付プレートを嵌合した状態を示す平面図である。
【図６】同上の正面図である。
【図７】本発明の使用例を示す一部断面した側面図である。
【図８】本発明のガイドピースの取付状態を説明する斜視図である。
【図９】本発明の専用カードキーの動作前を示す説明図である。
【図１０】同上専用カードキーの動作後を示す説明図である。
【図１１】本発明の一般カードキーの動作前を示す説明図である。
【図１２】同上の動作後の説明図である。
【符号の説明】
１      ケーシング
２      ベースプレート
２ｆ    カードキー収納部
２ｇ    スライド溝
２ｈ    長孔
３      錠取付プレート
４      作動板
４ｃ    係合凹部
４ｄ    ガイド片
４ｅ    カードキーストッパ
５      錠係止板
５ａ    ピンストッパ
５ｂ    係止片
７      スプリング
９      係合ピン
１０    ラッチ
１１    シリンダー錠
１２    バネ
１５    ガイドピース
１５ａ  脚
１５ｂ  係合体
１６    カードキー
【図１】
0003692250.tif 000002
【図２】
0003692250.tif 000003
【図３】
0003692250.tif 000004
【図４】
0003692250.tif 000005
【図５】
0003692250.tif 000006
【図６】
0003692250.tif 000007
【図７】
0003692250.tif 000008
【図８】
0003692250.tif 000009
【図９】
0003692250.tif 000010
【図１０】
0003692250.tif 000011
【図１１】
0003692250.tif 000012
【図１２】
0003692250.tif 000013